(57)【要約】      （修正有）【課題】感光変色材料とレンズの結合が安定し、日にあたり、雨に濡れても脱落しにくく、感光変色効果が長持ちする変色レンズの構造を提供する。【解決手段】レンズ４及びレンズの外側面と結合する変色フィルム５で構成され、変色フィルムは感光変色材料を第一層ＰＣフィルムと第二層ＰＣフィルムの間に置き、光学接着剤を使って粘着して形成される五層構造からなる。第一層ＰＣフィルムと第二層ＰＣフィルムの厚みは０.１〜０.５ｍｍであり、金型内で射出成型することにより、変色フィルムを予めレンズの射出成型の金型の中に入れ、レンズの外側面の場所に位置させ、溶解した状態のＰＣ素材を金型の中に注入する。固化する前のＰＣ素材は２６０〜２８０℃の高温にあり、ＰＣ素材と変色フィルムを結合させ、固化成型すれば多層構造の変色レンズになる。【選択図】図１
0003220305.tif 000002
【実用新案登録請求の範囲】
【請求項１】
レンズ及び該レンズの外側面と結合する変色フィルムを含み、該変色フィルムは感光変色材料を第一層ＰＣフィルムと第二層ＰＣフィルムの間に置き、光学接着剤を使って粘着して形成する五層構造の変色フィルムであって、
該第一層ＰＣフィルムと該第二層ＰＣフィルムの厚みは０.１〜０.５ｍｍの間であり、そして、金型内で射出成型することにより、該変色フィルムを予め該レンズの射出成型の金型の中に入れ、そして該レンズの外側面の場所に位置させ、溶解した状態のＰＣ素材を金型の中に注入し、固化する前のＰＣ素材は２６０〜２８０℃の高温にあり、ＰＣ素材と変色フィルムを結合させ、固化成型すれば多層構造の変色レンズになることを特徴とする変色レンズの構造。
【考案の詳細な説明】
【技術分野】
【０００１】
本考案は一種の変色レンズの構造に関し、特にレンズを固化成型する過程において、高温を利用して変色フィルムと結合し、多層の変色レンズを形成する。該変色レンズは素晴らしい感光変色効果を具有し、更に全体の安定性を保証することもできる変色レンズの構造に関する。
【背景技術】
【０００２】
一般的なレンズの材質はポリカーボネート（ＰＣ）であり、感光変色効果を持たない。レンズが眩しい太陽の下で使用することを考慮し、レンズに感光変色太陽光を遮り、眩しさを防止する効果を得るためには、それ相応の変色措置を取る必要があり、一重の感光変色材料を増やすのが従来のやり方である。
従来の変色レンズの製造は、通常レンズの外側面に一層の感光変色材料の塗装を噴きつける方法で製造を行う。変色材料の塗層を直接レンズの外側面に噴きつけると、日に当たり、雨に濡らすと、たちまちに脱落したり、効果がなくなったりと、その使用寿命は短い。よって、直接噴きつける方法で形成する変色レンズは、更なる改善が必要であった。
【先行技術文献】
【特許文献】
【０００３】
【特許文献１】実開昭５７−７６０３３号公報
【考案の概要】
【考案が解決しようとする課題】
【０００４】
前記公知構造の欠点を解決するため、本考案は感光変色材料とレンズをよりしっかりと結合し、例え日に当たって、雨に濡れても剥がれにくく、効果が薄れにくいために、感光変色効果を長持ちさせる変色レンズの構造を提供することを主な課題とする。
【課題を解決するための手段】
【０００５】
前記課題を解決するために、本考案は変色レンズの構造を提供するものである。主にレンズ及び該レンズの外側面と結合する変色フィルムを含む。その特徴とは、該変色フィルムは感光変色材料を第一層ＰＣフィルムと第二層ＰＣフィルムの間に置き、そして光学接着剤によって粘着して形成する五層構造の変色フィルムである。該第一層ＰＣフィルムと該第二層ＰＣフィルムの厚みは０.１〜０.５ｍｍの間であり、そして、金型内で射出成型することにより、該変色フィルムを予め該レンズの射出成型の金型の中に入れ、そして該レンズの外側面の場所に位置させ、溶解した状態のＰＣ素材を金型の中に注入し、固化する前のＰＣ素材は２６０〜２８０℃の高温にあり、ＰＣ素材と変色フィルム５を結合させ、固化成型すれば多層構造の変色レンズになる
【０００６】
本考案の変色レンズの該変色フィルムの該第一層ＰＣフィルムは一層、第二層ＰＣフィルムは一層、該感光変色材料は一層、該光学接着剤は二層の計五層である。
【０００７】
本考案の変色レンズの該感光変色材料は該第一層ＰＣフィルムと該第二層ＰＣフィルムの間に挟む薄い膜構造であり、或いは該感光変色材料は該第一層ＰＣフィルムと該第二層ＰＣフィルムの間に噴きつける塗層構造である。
【０００８】
本考案の変色レンズの該感光変色材料は紫外線感光変色材料とする。
【０００９】
本考案の変色レンズの長所は：まず感光変色材料を第一層ＰＣフィルムと第二層ＰＣフィルムの間に置き、そして光学接着剤によって粘着して変色フィルム形成し、そして更に射出成型の方法を介することで、ＰＣレンズが固化成型する過程において、高温を利用して変色フィルムと結合し、多層の変色レンズを形成する。このような変色レンズの層と層の間は、ほぼ一体構造となり、外れにくく、しっかり安定する。しかも、第一層ＰＣフィルムと第二層ＰＣフィルムは感光変色材料を真ん中で守るため、例え日にあたり、雨に濡れても感光変色材料に影響を及ぼさず、よって感光変色効果は長持ちする。広くヘルメットレンズ、スキーレンズなど感光変色効果を必要とするレンズに応用することができる。
【考案の効果】
【００１０】
本考案の構造により、第一層ＰＣフィルムと第二層ＰＣフィルムは感光変色材料を真ん中で守るため、例え日にあたり、雨に濡れても感光変色材料に影響を及ぼさず、よって感光変色効果は長持ちする。広くヘルメットレンズ、スキーレンズなど感光変色効果を必要とするレンズに応用することができる。
【図面の簡単な説明】
【００１１】
【図１】本考案の第一実施例の全体構造略図である。
【図２】本考案の第一実施例の立体分解図である。
【図３】本考案の第二実施例の全体構造略図である。
【図４】本考案の第二実施例の立体分解図である。
【図５】本考案の第三実施例の全体構造略図(一)である。
【図６】本考案の第三実施例の全体構造略図(二)である。
【考案を実施するための形態】
【００１２】
以下、本考案の構造と特徴および効果を、最良実施例と図面を参照しながら詳細に説明する。
【実施例１】
【００１３】
本考案の実施例は、図１及び図２に示すように、主にヘルメットレンズ４及び該ヘルメットレンズ４の外側面と結合する変色フィルム５を含む。該変色フィルム５は感光変色材料１を第一層ポリカーボネート（ＰＣ）フィルム２と第二層ポリカーボネート（ＰＣ）フィルム３の間に置き、そして光学接着剤によって粘着して形成する五層構造の変色フィルムである。該第一層ＰＣフィルム２は一層、該第二層ＰＣフィルム３は一層、該感光変色材料１は一層、該光学接着剤は二層の計五層である。
その中、該感光変色材料１は該第一層ＰＣフィルム２と該第二層ＰＣフィルム３の間に挟む薄い膜構造であり、光学接着剤を利用して該感光変色材料１の両面を該第一層ＰＣフィルム２と該第二層ＰＣフィルムの間に接着する。或いは該感光変色材料１は該第一層ＰＣフィルム２と該第二層ＰＣフィルム３の間に噴きつける塗層構造であり、更に該光学接着剤を利用して、該感光変色材料１を噴きつけた該第一層ＰＣフィルム２と該第二層ＰＣフィルム３を粘着する。該感光変色材料１は紫外線感光変色材料とする。該第一層ＰＣフィルム２と該第二層ＰＣフィルム３の厚みは０.１〜０.５ｍｍの間であり、よって、一つの変色レンズの構造となる。
【００１４】
本考案の第一実施例は、前記ヘルメットレンズ４の両端に設置穴６を設け、該設置穴６の内側は平滑構造であり、前記の変色フィルム５とヘルメットレンズ４の外側面と完全に覆い結合する。
【実施例２】
【００１５】
本考案の第二実施例は、図３及び図４に示す通りである。本実施例は第一実施例と基本的に同じであるが、異なる部分は：第二のスタイルとして、前記ヘルメットレンズ４の両端に設置穴６を設け、該設置穴７の内側は突起した調整構造７である。前記変色フィルム５とヘルメットレンズ４の外側面は完全に覆い結合する。
【実施例３】
【００１６】
本考案の第三実施例であり、図５及び図６に示す通りである。本実施例は第一実施例と基本的に同じであるが、異なる部分は：第一実施例にて記述するヘルメットレンズ４をスキーレンズ８に交換するものである。
【００１７】
本考案の変色レンズの製造方法は下記の通りである：
【００１８】
(１)感光変色材料１を第一層ＰＣフィルム２と第二層ＰＣフィルム３の間に置いて光学接着剤を使って粘着し、乾燥彎曲定型を行い、レンズ４の外側面と合わせられる変色フィルム５を形成する。
【００１９】
(２)  ステップ(１)にて形成する変色フィルム５を予めレンズ４の射出成型の金型の中に入れ、レンズ４の外側面の場所に位置させる。
【００２０】
(３) 溶解した状態のＰＣ（ポリカーボネート）素材を金型の中に注入し、固化する前のＰＣ素材は２６０〜２８０℃の高温にあり、その２６０〜２８０℃の高温を利用してＰＣ素材と変色フィルム５を結合させる。固化成型すれば多層構造の変色レンズになる。その中、説明が必要なのは、前述の２６０〜２８０℃の高温は、具体的にはＰＣ素材はネジが溶解した後、圧力を使って金型内に注入する時に、金型内に流し入れた時の温度である。その他、金型内に射出成型する際、具体的な圧力、時間は特に制限がなく、成型できることを原則とする。ここで特に強調したいのは、ステップ(１)の第一層ＰＣフィルム２と第二層ＰＣフィルム３は無くてはならないものであるのは、それが全体の工芸過程の肝心な一環であるためである。それを感光変色材料と結合してこそ、変色フィルム４になり、後続の金型内に射出成型に適応することができる。
【００２１】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００２２】
１  感光変色材料
２ 第一層ＰＣフィルム
３ 第二層ＰＣフィルム
４ ヘルメットレンズ
５ 変色フィルム
６ 設置穴
７ 調節構造
８ スキーレンズ
【図１】
0003220305.tif 000003
【図２】
0003220305.tif 000004
【図３】
0003220305.tif 000005
【図４】
0003220305.tif 000006
【図５】
0003220305.tif 000007
【図６】
0003220305.tif 000008
【手続補正書】
【提出日】平成30年12月19日(2018.12.19)
【手続補正１】
【補正対象書類名】実用新案登録請求の範囲
【補正対象項目名】全文
【補正方法】変更
【補正の内容】
【実用新案登録請求の範囲】
【請求項１】
レンズ及び該レンズの外側面と結合する変色フィルムとからなる変色レンズの構造であって、
該変色フィルムは感光変色材料を第一層ＰＣフィルムと第二層ＰＣフィルムの間に置き、光学接着剤を使って粘着して形成する五層構造の変色フィルムであり、
該第一層ＰＣフィルムと該第二層ＰＣフィルムの厚みは０.１〜０.５ｍｍの間であり、そして、金型内で射出成型することにより、該変色フィルムを予め該レンズの射出成型の金型の中に入れ、そして該レンズの外側面の場所に位置させ、溶解した状態のＰＣ素材を金型の中に注入し、固化する前のＰＣ素材は２６０〜２８０℃の高温にあり、ＰＣ素材と変色フィルムを結合させ、固化成型すれば多層構造の変色レンズになることを特徴とする変色レンズの構造。
【手続補正２】
【補正対象書類名】明細書
【補正対象項目名】０００５
【補正方法】変更
【補正の内容】
【０００５】
前記課題を解決するために、本考案は変色レンズの構造を提供するものである。
レンズ及び該レンズの外側面と結合する変色フィルムとからなる変色レンズの構造であって、その特徴とは、該変色フィルムは感光変色材料を第一層ＰＣフィルムと第二層ＰＣフィルムの間に置き、そして光学接着剤によって粘着して形成する五層構造の変色フィルムである。該第一層ＰＣフィルムと該第二層ＰＣフィルムの厚みは０.１〜０.５ｍｍの間であり、そして、金型内で射出成型することにより、該変色フィルムを予め該レンズの射出成型の金型の中に入れ、そして該レンズの外側面の場所に位置させ、溶解した状態のＰＣ素材を金型の中に注入し、固化する前のＰＣ素材は２６０〜２８０℃の高温にあり、ＰＣ素材と変色フィルム５を結合させ、固化成型すれば多層構造の変色レンズになる